(57)【特許請求の範囲】
【請求項１】
被測定者の足に接触する足部電極を有し、測定時に被測定者が乗る人体載置部と、前記人体載置部に重量測定機構を備えた体重測定部と、被測定者の手に接触する手部電極を有し、測定時に被測定者が手で把持する把持部と、前記人体載置部の内部に設けられ前記足部電極と前記手部電極との間のインピーダンスを測定するインピーダンス測定手段と、被測定者の身体的特徴をあらわす被測定者情報を入力する入力手段と、前記インピーダンスと前記被測定者情報から体脂肪率を計算する計算手段と、この計算結果を表示する表示手段とを備え、前記把持部と前記人体載置部をケーブルで接続すると共に、前記把持部の外形状は略円柱状とし、この長手方向に間隔を開けて二つの手部電極を前記把持部の表面に沿って前記把持部の平面断面の１／２以上の位置まで周回させ、かつ把持部は前後に分割されたケースで構成し、手部電極は分割されたケースの両側にわたり周回し、前記手部電極の接合部を第三のケースで覆い、この第三のケースの表面側に前記把持部を握った時に手の位置が規制される形状部を備えたことを特徴とする体脂肪測定装置。
【請求項２】
第三のケースの表面側に前記把持部を握った時に手の位置が規制されるように指間に挟まる形状部を有する請求項１記載の体脂肪測定装置。
【請求項３】
把持部は握った時に手の位置が規制されるように指間に挟まる突起形状を前記把持部の長手方向の略中央に有し、前記突起形状の先端部にケーブル片端部が接続された請求項１記載の体脂肪測定装置。
【請求項４】
把持部は略円柱状とし手部電極は把持部表面に沿うように構成し手部電極表面に凹凸形状を設けた請求項１又は請求項２記載の体脂肪測定装置。
【発明の詳細な説明】
【０００１】
【発明の属する技術分野】
本発明は身体内部のインピーダンスに基づき体脂肪率を測定する体脂肪測定装置に関するものである。
【０００２】
【従来の技術】
従来のこの種の体脂肪測定装置は、たとえば、特開平７−５９７４４号公報に示すようなものが一般的であった。この装置は装置本体に両手で把持できる把持部及びフット電極部に電極を有し、被測定者は両手で装置本体を把持し、フット電極部に乗って決められた姿勢を取って測定すれば、把持部及びフット電極部に備えられた電極が手のひら及び足の裏に接触することによって手足間のインピーダンスを測定し、計算により体脂肪率を測定することができるようになっていた。
【０００３】
また、同様に特開平７−１２６３５号公報のものは両手で把持する把持部を被測定者が乗る台部分と機械的に固定されたもので、それぞれの部分に配された電極を切り替えることにより手足間のインピーダンスを測定することができ、これにより体脂肪率を測定することができるようになっていた。これらの装置は、いずれも被測定者は把持部を把持し、フット電極部もしくは台部分に乗るだけで、体脂肪率を知ることができ、手軽に健康管理が行うことができるようになっていた。
【０００４】
【発明が解決しようとする課題】
しかしながら、従来の体脂肪測定装置ではたとえば特開平７−５９７４４号公報のものでは、インピーダンス測定部を含む装置本体に把持部を有しているため、どうしても把持部の重量が増してしまう。体脂肪率の測定に用いる手から足にかけてのインピーダンスを正確に求めるためには、定められた同一の姿勢を取ることが非常に重要となる。しかし、把持部が重くなってしまっては、定められた姿勢をとるために支障が生じる。結果として姿勢にバラツキが生じるため測定値にもバラツキが生じる。また、重量のある装置本体を支え続けることは、被測定者にとって負担となる。これに対して、特開平７−１２６３５号公報に示すようなものは、人体載置部に機械的に固定された把持部を設けてあるので、重量は両腕にかからず、測定値のバラツキ及び被測定者への負担は解決されているが、装置が大型となり、設置場所も制限され、不必要な時にも体積を占有するため特に家庭内で使用するには適さなかった。
【０００５】
【課題を解決するための手段】
本発明は上記課題を解決するために手部電極を備えた把持部と足部電極を備えた人体載置部をケーブルで接続し、把持部外形状を略円柱状とし略円柱形の上下方向表面に間隔を開けて二つの手部電極を把持部外形状に沿って把持部平面断面の１／２以上の位置まで周回させたので、片手で持ちやすくかつ軽量となり測定のための定まった姿勢をとることが容易であり、把持部を握る位置がずれても手と手部電極との接触が不安定にならずに正確な測定ができる。また、測定のための定まった姿勢をとるための被測定者への負担も少なく、把持部を機械的に支える構造物も必要とならないので装置全体もコンパクトで安価に構成できる。
【０００６】
【発明の実施の形態】
本発明は、被測定者の足に接触する足部電極と、足部電極を備え測定時に被測定者が乗る人体載置部と、人体載置部に重量測定機構を備えた体重測定部と、被測定者の手に接触する手部電極と、手部電極を備え測定時に被測定者が手で把持する把持部と、人体載置部内部に足部電極と手部電極の間のインピーダンスを測定するインピーダンス測定手段と、被測定者の身体的特徴をあらわす被測定者情報を入力する入力手段と、インピーダンスと被測定者情報から体脂肪率を計算する計算手段と、計算結果を表示する表示手段を有し、把持部と人体載置部をケーブルで接続し、把持部外形状は略円柱状とし略円柱形の上下方向表面に間隔を開けて二つの手部電極を把持部外形状に沿って把持部平面断面の１／２以上の位置まで周回させたものである。
【０００７】
そして把持部と人体載置部をケーブルで接続し、把持部を略円柱状とし略円柱形の上下方向表面に間隔を開けて二つの手部電極を把持部外形状に沿って把持部平面断面の１／２以上の位置まで周回させたので、片手で持ちやすくかつ軽量となり測定のための定まった姿勢をとることが容易であり、把持部を握る位置がずれても手表面と手部電極とが確実に接触されるので正確な測定ができる。また、測定のための定まった姿勢をとるための被測定者への負担も少なく、把持部を機械的に支える構造物も必要とならないので装置全体もコンパクトで安価に構成できる。また、把持部の構成が簡略な構成となり、外形状が略円柱状をしているため把持部を落下させたときにも故障する可能性を減らすことができる。
【０００８】
さらに把持部は前後に分割されたケースで構成し、手部電極は分割されたケースの両側にわたり周回し、手部電極の周側接合部を第三のケースで覆ったので、分割されたケースの接合部や周回された手部電極の接合部が第三のケースで隠され見栄えが良いと共に把持部の前後方向が明確になる。
【０００９】
さらに把持部の第三のケースの表面側に把持部を握った時に手の位置が規制される形状部を有するので、形状部で手表面と手部電極の上下の位置ずれが防止され手表面と手部電極の接触が確実化されると共に把持部の前後方向がより明確になる。
【００１０】
さらに第三のケースの表面側に把持部を握った時に手の位置が規制されるように指間に挟まる突起形状を有するので、突起形状で手表面と手部電極の上下の位置ずれが防止され手表面と手部電極の接触が確実化されると共に、把持部の前後方向が明確になると同時に、突起形状が指間に挟まり滑り等による把持部の落下防止ができる。
【００１１】
さらに把持部は握った時に手の位置が規制されるように指間に挟まる突起形状を略円柱形状上下方向の略中央に有し、突起形状先端部にケーブル片端部を接続したので、突起形状で手表面と手部電極の上下の位置ずれが防止され手表面と手部電極の接触が確実化されると共に、把持部の前後方向がより明確になると同時に、突起形状とケーブルが指間に挟まり滑り等による把持部の落下防止ができる。
【００１３】
さらに把持部は円柱状とし手部電極は把持部表面に沿うように中空の管状に形成し円柱状上下方向をふたで覆い手部電極を構成したので簡単な構成で把持部の全周に電極が形成でき、どの位置で握っても手表面と手部電極の接触が確実となるのでどの位置でも正確に測定できる。
【００１４】
【実施例】
以下本発明の実施例について図面を用いて説明する。
【００１５】
（実施例１）
図１は本発明の実施例１の体脂肪測定装置の外観図、図２はそのブロック図、図３は測定時の説明図、図４は把持部の側面図、図５は把持部の断面図である。本実施例の体脂肪測定装置は上面に足部電極１が取り付けられている人体載置部２を形成し、人体載置部２には、被測定者情報を入力するための入力手段としてのキースイッチ３、報知手段として液晶表示器４が備えられている。人体載置部２の下部には重量測定機構を有する体重測定部５を構成しており、人体載置部２と把持部６はケーブル７で接続されている。把持部６は本実施例では樹脂で構成され、手部電極８は薄板ステンレス等の導体で構成し、把持部６の樹脂表面に沿うように構成している。測定時、被測定者９は図３のように把持部６を握って人体載置部２の上に素足で乗る。このとき手部電極８は被測定者９の手のひらに、足部電極１は被測定者９の足の裏に接触する。図２に示すように足部電極１ならびに手部電極８はインピーダンス測定手段１０に接続されている。インピーダンス測定手段１０は４端子法により、足部電極１の１つの電極と手部電極８の１つの電極間に定電流を流し、足部電極１の他方の電極１ａと手部電極８の他方の電極８ａ間で電圧を測定することによって、インピーダンスを測定できるよう構成されている。本実施例では、５０ｋＨｚ、５００μＡの人体が感じることのない微弱な電流を使用している。測定したインピーダンスは計算手段としてのマイクロコンピュータ１１に入力される。マイクロコンピュータ１１には先に説明したキースイッチ３と液晶表示器４が接続されている。図４及び図５に示すように把持部６は片手で握れる略円柱形状をした前後に２分割されたケース６ａとケース６ｂで構成し、その一部から人体載置部２と接続したケーブル７の片端を接続し、ケース６ａとケース６ｂの表面には分割された２枚の手部電極８を把持部平面断面の１／２以上でほぼ全周近くまでケース６ａ６ｂの表面に密着して周回させその端部１２はケース６ａ６ｂの締結部１３に固定されている。締結部１３はケース６ａの外周表面より内方向に位置し手部電極８の端部１２と締結部１３を覆うように第三のケース１４をケース６ａの外形状に合わせて構成している。
【００１６】
次に動作、作用について説明する。測定に先立ち、被測定者９はキースイッチ３により、被測定者情報として身長、性別を入力するとマイクロコンピュータ１１にこれらの被測定者情報が入力される。被測定者９は図３に示すように、一定姿勢で把持部６を握り、人体載置部２に乗ると体重測定部５で体重値を測定しその結果がマイクロコンピュータ１１に入力され、手部電極８は被測定者９の手のひらに、足部電極１は被測定者９の足の裏に接触する。手部電極８及び足部電極１からインピーダンス測定手段１０で手足間のインピーダンスを測定し計測値が入力されると、マイクロコンピュータ１０はプログラムによりインピーダンスと被測定者情報から体脂肪率を計算し、結果を液晶表示器４に出力する。この時、正確な測定を行うためには、被測定者９は図３に一例を示したように決まった姿勢を取り、足表面と足電極１及び手表面と手電極８が確実に接触していることが重要である。これは、本実施例のようなインピーダンス法での測定においては、手と足の間のインピーダンスを測定することにより体脂肪率を測定するので、姿勢が異なることによるインピーダンスの変化及び手足表面と電極の接触不十分によるインピーダンスの変化がそのまま測定値のバラツキとなって表れてくるためである。本実施例においては、把持部６は薄板で構成した手部電極８と樹脂で形成したケース６ａ、ケース６ｂで構成しているので小型で軽量となり被測定者の負担とならないので決まった姿勢を取ることが容易であるため、測定姿勢による測定値の変動がなく、把持部６は略円柱状をしているので持ちやすく、手電極８は把持部６の平面断面の１／２以上でほぼ全周近くまで周回しているので手表面と手電極８との接触面積が増大し、測定の際に把持部６の握り位置がずれた場合でも手表面と手電極８との接触が不安定にならず測定値の変動が生じることもない。
【００１７】
（実施例２）
実施例１と異なる点は図５の把持部の断面図に示すように、把持部６の手部電極８は前後に分割されたケース６ａ６ｂの両側にわたり周回して形成し第三のケース１４で締結部１３を覆って構成したものである。従ってケース６ａ６ｂの合わせ部１５は手部電極８に覆われることになり把持部６を握った時に合わせ部１５ののずれによる違和感を感じることもないと共に、第三のケース１４で締結部１３を覆っているので把持部５の前後方向が明確になることで前後方向の間違いが無く把持部５を握って測定時に手電極８が手表面に確実に接触することになる。また締結部１３は第三のケース１４でケース６ａ６ｂと一体感を有して完全に覆われるので美観的に優れたものとなると共に、手電極８とケース締結後に第三のケース１４で覆うのみでよいので組立性も向上する。
【００１８】
（実施例３）
図６、図７は本発明の実施例３の把持部の斜視図である。実施例１と異なる点は、第三のケース１４の表面側に手の位置が規制される形状部１６を形成したものである。従って把持部６を握った時に手の位置が上下方向にも規制され手表面と手電極８の位置ずれが防止され、より確実に手表面と手電極８が接触し測定の安定化が図れる。また形状部１６により把持部６を握る時に把持部６の前後方向がより明確になり誤まった握り方を防止できる。また形状部１６は第三のケース１４に形成したので手の大きさが異なり多種のサイズの形状部１６が必要な際には第三のケース１４を交換するのみで多種の手サイズに対応できることとなる。本実施例では形状部１６は凸形状としたが凹形状でも同様な作用効果を発揮するものである。
【００１９】
（実施例４）
図８は本発明の実施例４の把持部の斜視図である。実施例１と異なる点は、第三のケース１４の表面側に手の位置が規制されるように各指間に挟まる形状部１７を形成したものである。従って握り位置がより明確になるとともに形上部が多くなるので前後方向もより明確となり確実に手表面と手電極８が接触し測定の安定化が図れると共に形状部１７が各指間に挟まることとなり滑りによる把持部６の落下も防止できる。
【００２０】
（実施例５）
図９は本発明の実施例５の把持部の斜視図、図１０は測定姿勢図である。実施例１と異なる点は、形状部１６を把持部６の略中央に構成した突起形状としその先端部１８にケーブル７を接続したものである。従って形状部１６で手の位置が規制され握り位置が明確になると共にケーブル７の有無で把持部６の前後方向がより明確になり誤った握り方での測定がなくなる。また図１０のような測定姿勢を取った時にはケーブル７の長さは最短ですみ合理的でありケーブル７も測定の際の邪魔になる可能性もなくなる。
【００２１】
（実施例６）
図１１は本発明の実施例６の把持部の斜視図である。実施例１と異なる点は、把持部６の上下方向に二つの手部電極８を把持部６の外形状に沿って把持部６の全周面に形成したものである。従って把持部６の前後方向の規制が無くなり円周方向にどの位置で握っても手表面と手電極８の接触は確実となり測定時の接触不足による測定値の変動がなくなる。
【００２２】
（実施例７）
図１２は本発明の実施例７の把持部の分解斜視図である。実施例６と異なる点は、手部電極８は略円柱状把持部６の表面形状に沿うように中空の管状に形成し、上下にふた１９を構成し手部電極８の中間部に管状部材２０を構成し、把持部６の上下方向に固定部材２１で固定したものである。従って同様形状の円柱形部材を組み合わせるのみの簡単な構成で把持部６に全周電極８が構成でき手と手電極８の接触不足による測定値の変動が生じない把持部６を形成できるものである。
【００２３】
（実施例８）
図１３は本発明の実施例８の把持部の分解斜視図である。実施例１及び６と異なる点は、手部電極８の表面全面に多数の凸状部２２を形成した手部電極８を略円柱状の把持部６の表面形状に沿うように構成したものである。従って把持部６を握った際に手の表面と凸状部２２が部分的に確実に接触することになり測定時の接触不足による測定値の変動がなくなる。また凸状部２２が抵抗となるので把持部６の表面が滑りにくくなり把持部６を落下する可能性もなくすことができる。
【００２４】
なお本実施例では凸状部で構成したが手部電極８の表面に凹凸形状を形成すれば同様な効果を有するものである。
【００２５】
【発明の効果】
以上のように本発明によれば、把持部は小型で軽量となりインピーダンス測定時に被測定者の負担とならないので決まった姿勢を取ることが容易となり、測定姿勢による測定値の変動がない。また把持部６は略円柱状をしているので持ちやすく、手電極は把持部の平面断面の１／２以上でほぼ全周近くまで周回しているので手表面と手電極との接触面積が増大し、測定の際に把持部の握り位置がずれた場合でも手表面と手電極との接触が不安定にならず測定値の変動が生じることがない。
【００２６】
また、ケースの合わせ部は手部電極に覆われることになり把持部を握った時に合わせ部のずれによる違和感を感じることもなく、第三のケースで把持部の前後方向が明確になり前後方向の間違いが無く測定時に手電極が手表面に確実に接触する。また締結部は第三のケースでケースと一体感を有して完全に覆われるので美観的に優れたものとなり、組立性も向上する。
【００２７】
また、把持部を握った時に手の位置が上下方向にも規制され手表面と手電極の位置ずれが防止され、より確実に手表面と手電極が接触し測定の安定化が図れる。さらに形状部により把持部の前後方向がより明確になり誤まった握り方を防止でき、手の大きさが異なり多種のサイズの形状部が必要な際には第三のケースを交換するのみで多種の手のサイズに対応できる。
【００２８】
また、把持部を握った時に形状部が各指間に挟まり滑りによる把持部の落下も防止できる。
【００２９】
また、ケーブルの有無で把持部の前後方向がより明確になり誤った握り方での測定がなくなると共に、ケーブルの長さは最短となり合理的で、ケーブルが測定の際の邪魔になることもなくなる。
【００３０】
また、測定時に把持部の前後方向の規制が無くなるので円周方向にどの位置で握っても手表面と手電極の接触は確実となり測定時の接触不足による測定値の変動がなくなる。
【００３２】
また、手部電極の表面全面に多数の凸状部を形成したので把持部を握った際に手の表面と凸状部が部分的に確実に接触することになり測定時の接触不足による測定値の変動がなくなる。また凸状部が抵抗となり把持部の表面が滑りにくくなり落下する可能性もなくすことができる
【図面の簡単な説明】
【図１】本発明の実施例１の体脂肪測定装置の外観図
【図２】同体脂肪測定装置のブロック図
【図３】同体脂肪測定装置の測定時の動作を説明する側面図
【図４】同体脂肪測定装置の把持部の側面図
【図５】本発明の実施例２の体脂肪測定装置の把持部の平面断面図
【図６】同把持部に設けられた形状部が１つの場合の外観斜視図
【図７】同形状部が２つの場合の外観斜視図
【図８】本発明の実施例４の体脂肪測定装置の把持部の外観斜視図
【図９】本発明の実施例５の体脂肪測定装置の把持部の外観斜視図
【図１０】同体脂肪測定装置の測定例を示す図
【図１１】本発明の実施例６の体脂肪測定装置の把持部の外観斜視図
【図１２】本発明の実施例７の体脂肪測定装置の把持部の分解斜視図
【図１３】本発明の実施例８の体脂肪測定装置の把持部の側面図
【符号の説明】
１  足部電極
２  人体載置部
３  キースイッチ（入力手段）
４  液晶表示器（表示手段）
５  体重測定部
６  把持部
７  ケーブル
８  手部電極
９  被測定者
１０  インピーダンス測定手段
１１  マイクロコンピューター（計算手段）
１２  端部
１３  締結部
１４  第三のケース
１５  合わせ部
１６  形状部
１７  指間に挟まる形状部
１８  先端部
１９  ふた
２０  管状部材
２１  固定部材
２２  凸状部
【図１】
0004423768.tif 000002
【図２】
0004423768.tif 000003
【図３】
0004423768.tif 000004
【図４】
0004423768.tif 000005
【図５】
0004423768.tif 000006
【図６】
0004423768.tif 000007
【図７】
0004423768.tif 000008
【図８】
0004423768.tif 000009
【図９】
0004423768.tif 000010
【図１０】
0004423768.tif 000011
【図１１】
0004423768.tif 000012
【図１２】
0004423768.tif 000013
【図１３】
0004423768.tif 000014